(57)【要約】【課題】ノブが突き当て部に突き当てられる場合よりも効果的に、ターミナルが電気的に接続せしめられたことを操作者に認識させる。【解決手段】ノブ３がスライドせしめられるとターミナル５Ｂ，５Ｆが電気的に接続せしめられるプッシュスライドスイッチに、変位量を増加させていくと応力が増加し、変位量を更に増加させていくと応力が急激に減少する特性を有するクリックバネ７Ａ，７Ｂを設け、ターミナル５Ｂ，５Ｆが電気的に接続せしめられる時にノブ３の操作に要する力が急激に減少するようにクリックバネ７Ａ，７Ｂを配置する。【選択図】図１
2005339877.tif 000002
【特許請求の範囲】
【請求項１】
ノブがスライドせしめられるとターミナルが電気的に接続せしめられるスライドスイッチにおいて、変位量を増加させていくと応力が増加し、変位量を更に増加させていくと応力が急激に減少する特性を有するクリックバネを設け、前記ターミナルが電気的に接続せしめられる時にノブの操作に要する力が急激に減少するように前記クリックバネを配置したことを特徴とするスライドスイッチ。
【請求項２】
変位量を増加させていくと応力が増加し、変位量を更に増加させていくと応力が急激に減少する特性を有するクリックバネを設け、ノブがホームポジションからある向きにスライドせしめられると、ノブが直接または間接的に前記クリックバネに突き当たるのに伴ってノブの操作に要する力が急激に増加する時に第１のターミナルが電気的に接続せしめられ、前記ノブがその向きに更にスライドせしめられると、ノブの操作に要する力が更に増加してピークに達し、次いで、急激に減少する時に第２のターミナルが電気的に接続せしめられるように前記クリックバネを配置したことを特徴とするスライドスイッチ。
【請求項３】
前記ノブがホームポジションから第１の向きにスライドせしめられると第１のターミナルが電気的に接続せしめられ、前記ノブが第１の向きに更にスライドせしめられると第２のターミナルが電気的に接続せしめられ、前記ノブが第１の向きとは逆向きの第２の向きに前記ホームポジションからスライドせしめられると第３のターミナルが電気的に接続せしめられ、前記ノブが第２の向きに更にスライドせしめられると第４のターミナルが電気的に接続せしめられることを特徴とする請求項１又は２に記載のスライドスイッチ。
【請求項４】
請求項３に記載のスライドスイッチを具備し、第１の向きに対して垂直な第３の向きに前記ノブを押動可能なプッシュスライドスイッチにおいて、前記ノブが前記ホームポジションから第３の向きに押動されると第５のターミナルが電気的に接続せしめられ、前記ノブが第３の向きに更に押動されると第６のターミナルが電気的に接続せしめられることを特徴とするプッシュスライドスイッチ。
【請求項５】
スライドスイッチハウジングの壁面に前記クリックバネを配置したことを特徴とする請求項１〜３のいずれか一項に記載のスライドスイッチ。
【請求項６】
前記スライドスイッチハウジングの底面に対して斜めに立ち上がっている壁面に前記クリックバネを配置したことを特徴とする請求項５に記載のスライドスイッチ。
【請求項７】
前記第６のターミナルを電気的に接続させるために前記ノブを第３の向きに押動するのに要する力が、前記第２のターミナルを電気的に接続させるために前記ノブを第１の向きに押動するのに要する力、及び、前記第４のターミナルを電気的に接続させるために前記ノブを第２の向きに押動するのに要する力よりも大きくなるように、他のクリックバネを配置したことを特徴とする請求項４に記載のプッシュスライドスイッチ。
【発明の詳細な説明】
【技術分野】
【０００１】
本発明は、ノブがスライドせしめられるとターミナルが電気的に接続せしめられるスライドスイッチに関し、特には、ノブが突き当て部に突き当てられる場合よりも効果的に、ターミナルが電気的に接続せしめられたことを操作者に認識させることができるスライドスイッチに関する。
【０００２】
更に、本発明は、ノブがスライドせしめられるとターミナルが電気的に接続せしめられるスライドスイッチおよびプッシュスライドスイッチに関し、特には、従来の場合よりも多くのターミナルの接続状態をノブのスライド動作によって切り換えることができるスライドスイッチおよびプッシュスライドスイッチに関する。
【背景技術】
【０００３】
従来から、摘み部（ノブ）がスライドせしめられると端子（ターミナル）が電気的に接続せしめられるプッシュスライドスイッチが知られている。この種のプッシュスライドスイッチの例としては、例えば特開２００１−２２９７８１号公報に記載されたものがある。
【０００４】
特開２００１−２２９７８１号公報に記載されたプッシュスライドスイッチでは、摘み部（ノブ）がスライドせしめられるとコイルバネが圧縮せしめられ、操作者が摘み部（ノブ）を放すとコイルバネの復帰力によって摘み部（ノブ）が中立位置（ホームポジション）に復帰するように構成されている。つまり、特開２００１−２２９７８１号公報に記載されたプッシュスライドスイッチでは、摘み部（ノブ）がスライドせしめられると摘み部（ノブ）の操作に要する力が徐々に増加し、端子（ターミナル）が電気的に接続せしめられる時に摘み部（ノブ）の操作に要する力は大きく変化しない。そのため、操作者は、摘み部（ノブ）の操作に要する力の変化によって端子（ターミナル）が電気的に接続せしめられたことを認識することができない。
【０００５】
そこで、従来においては、ターミナルが電気的に接続せしめられたことを操作者が認識できるようにするために、ターミナルが電気的に接続せしめられた時に、例えば摘み部（ノブ）が直接または間接的に突き当て部に突き当てられていた。つまり、従来においては、摘み部（ノブ）が直接または間接的に突き当て部に突き当てられる以外の方法によっては、ターミナルが電気的に接続せしめられたことを操作者に認識させることができなかった。
【０００６】
また、特開２００１−２２９７８１号公報に記載されたプッシュスライドスイッチでは、摘み部（ノブ）が中立位置（ホームポジション）から右側にスライドせしめられると一の端子（ターミナル）が電気的に接続せしめられ、摘み部（ノブ）が中立位置（ホームポジション）から左側にスライドせしめられると他の端子（ターミナル）が電気的に接続せしめられる。つまり、特開２００１−２２９７８１号公報に記載されたプッシュスライドスイッチでは、摘み部（ノブ）が中立位置（ホームポジション）に配置されて端子（ターミナル）が電気的に接続されていない状態と、摘み部（ノブ）が右側にスライドせしめられて一の端子（ターミナル）が電気的に接続された状態と、摘み部（ノブ）が左側にスライドせしめられて他の端子（ターミナル）が電気的に接続された状態とが、摘み部（ノブ）のスライド動作によって切り換えられる。
【０００７】
すなわち、特開２００１−２２９７８１号公報に記載されたプッシュスライドスイッチでは、摘み部（ノブ）のスライド動作によって切り換えることができる端子（ターミナル）の接続状態は３つであり、４つ以上の端子（ターミナル）の接続状態を摘み部（ノブ）のスライド動作によって切り換えることができない。
【０００８】
【特許文献１】特開２００１−２２９７８１号公報
【発明の開示】
【発明が解決しようとする課題】
【０００９】
前記問題点に鑑み、本発明は、ノブが突き当て部に突き当てられる場合よりも効果的に、ターミナルが電気的に接続せしめられたことを操作者に認識させることができるスライドスイッチを提供することを目的とする。
【００１０】
更に、本発明は、従来の場合よりも多くのターミナルの接続状態をノブのスライド動作によって切り換えることができるスライドスイッチおよびプッシュスライドスイッチを提供することを目的とする。
【課題を解決するための手段】
【００１１】
請求項１に記載の発明によれば、ノブがスライドせしめられるとターミナルが電気的に接続せしめられるスライドスイッチにおいて、変位量を増加させていくと応力が増加し、変位量を更に増加させていくと応力が急激に減少する特性を有するクリックバネを設け、前記ターミナルが電気的に接続せしめられる時にノブの操作に要する力が急激に減少するように前記クリックバネを配置したことを特徴とするスライドスイッチが提供される。
【００１２】
請求項２に記載の発明によれば、変位量を増加させていくと応力が増加し、変位量を更に増加させていくと応力が急激に減少する特性を有するクリックバネを設け、ノブがホームポジションからある向きにスライドせしめられると、ノブが直接または間接的に前記クリックバネに突き当たるのに伴ってノブの操作に要する力が急激に増加する時に第１のターミナルが電気的に接続せしめられ、前記ノブがその向きに更にスライドせしめられると、ノブの操作に要する力が更に増加してピークに達し、次いで、急激に減少する時に第２のターミナルが電気的に接続せしめられるように前記クリックバネを配置したことを特徴とするスライドスイッチが提供される。
【００１３】
請求項３に記載の発明によれば、前記ノブがホームポジションから第１の向きにスライドせしめられると第１のターミナルが電気的に接続せしめられ、前記ノブが第１の向きに更にスライドせしめられると第２のターミナルが電気的に接続せしめられ、前記ノブが第１の向きとは逆向きの第２の向きに前記ホームポジションからスライドせしめられると第３のターミナルが電気的に接続せしめられ、前記ノブが第２の向きに更にスライドせしめられると第４のターミナルが電気的に接続せしめられることを特徴とする請求項１又は２に記載のスライドスイッチが提供される。
【００１４】
請求項４に記載の発明によれば、請求項３に記載のスライドスイッチを具備し、第１の向きに対して垂直な第３の向きに前記ノブを押動可能なプッシュスライドスイッチにおいて、前記ノブが前記ホームポジションから第３の向きに押動されると第５のターミナルが電気的に接続せしめられ、前記ノブが第３の向きに更に押動されると第６のターミナルが電気的に接続せしめられることを特徴とするプッシュスライドスイッチが提供される。
【００１５】
請求項５に記載の発明によれば、スライドスイッチハウジングの壁面に前記クリックバネを配置したことを特徴とする請求項１〜３のいずれか一項に記載のスライドスイッチが提供される。
【００１６】
請求項６に記載の発明によれば、前記スライドスイッチハウジングの底面に対して斜めに立ち上がっている壁面に前記クリックバネを配置したことを特徴とする請求項５に記載のスライドスイッチが提供される。
【００１７】
請求項７に記載の発明によれば、前記第６のターミナルを電気的に接続させるために前記ノブを第３の向きに押動するのに要する力が、前記第２のターミナルを電気的に接続させるために前記ノブを第１の向きに押動するのに要する力、及び、前記第４のターミナルを電気的に接続させるために前記ノブを第２の向きに押動するのに要する力よりも大きくなるように、他のクリックバネを配置したことを特徴とする請求項４に記載のプッシュスライドスイッチが提供される。
【発明の効果】
【００１８】
請求項１に記載のスライドスイッチでは、変位量を増加させていくと応力が増加し、変位量を更に増加させていくと応力が急激に減少する特性を有するクリックバネが設けられ、ターミナルが電気的に接続せしめられる時にノブの操作に要する力が急激に減少するようにクリックバネが配置されている。そのため、ノブの操作に要する力が急激に減少することにより、ターミナルが電気的に接続せしめられたことを操作者は認識することができる。つまり、ノブが突き当て部に突き当てられる場合よりも効果的に、ターミナルが電気的に接続せしめられたことを操作者に認識させることができる。
【００１９】
好ましくは、例えば板バネ材を絞り加工することにより、クリックバネが形成される。詳細には、絞り加工された凸部を凹ませていくと応力が増加し、更に凹ませていくと応力が急激に減少する特性をクリックバネが有する。
【００２０】
請求項２に記載のスライドスイッチでは、変位量を増加させていくと応力が増加し、変位量を更に増加させていくと応力が急激に減少する特性を有するクリックバネが設けられ、ノブがホームポジションからある向きにスライドせしめられると、ノブが直接または間接的にクリックバネに突き当たるのに伴ってノブの操作に要する力が急激に増加する時に第１のターミナルが電気的に接続せしめられ、ノブがその向きに更にスライドせしめられると、ノブの操作に要する力が更に増加してピークに達し、次いで、急激に減少する時に第２のターミナルが電気的に接続せしめられるようにクリックバネが配置されている。つまり、第２のターミナルが電気的に接続せしめられる時にノブの操作に要する力が急激に減少するようにクリックバネが配置されている。そのため、ノブの操作に要する力が急激に減少することにより、第２のターミナルが電気的に接続せしめられたことを操作者は認識することができる。つまり、ノブが突き当て部に突き当てられる場合よりも効果的に、第２のターミナルが電気的に接続せしめられたことを操作者に認識させることができる。
【００２１】
詳細には、例えば、ノブが操作されずノブがホームポジションに位置している時にはターミナルが電気的に接続せしめられておらず、ノブがスライドせしめられてノブが直接または間接的にクリックバネに突き当たるのに伴ってノブの操作に要する力が急激に増加する時には第１のターミナルが電気的に接続せしめられており、ノブが更にスライドせしめられてノブの操作に要する力が急激に減少する時には第２のターミナルが電気的に接続せしめられる。そのため、ノブが操作されない状態と、ノブの操作に要する力が急激に増加する状態と、ノブの操作に要する力が急激に減少する状態とを設けることにより、ターミナルが電気的に接続されていない状態と、第１のターミナルが電気的に接続されている状態と、第２のターミナルが電気的に接続されている状態との３つの状態を操作者に認識させることができる。
【００２２】
請求項３に記載のスライドスイッチでは、ノブがホームポジションから例えば右側のような第１の向きにスライドせしめられると第１のターミナルが電気的に接続せしめられ、ノブが第１の向きに更にスライドせしめられると第２のターミナルが電気的に接続せしめられ、ノブが第１の向きとは逆向きの例えば左側のような第２の向きにホームポジションからスライドせしめられると第３のターミナルが電気的に接続せしめられ、ノブが第２の向きに更にスライドせしめられると第４のターミナルが電気的に接続せしめられる。つまり、ノブがホームポジションに配置されてターミナルが電気的に接続されていない状態と、ノブが第１の向きにスライドせしめられて第１のターミナルが電気的に接続された状態と、ノブが第１の向きに更にスライドせしめられて第２のターミナルが電気的に接続された状態と、ノブが第２の向きにスライドせしめられて第３のターミナルが電気的に接続された状態と、ノブが第２の向きに更にスライドせしめられて第４のターミナルが電気的に接続された状態とが、ノブのスライド動作によって切り換えられる。すなわち、５つのターミナルの接続状態がノブのスライド動作によって切り換えられる。そのため、従来の場合よりも多くのターミナルの接続状態をノブのスライド動作によって切り換えることができる。
【００２３】
請求項４に記載のプッシュスライドスイッチでは、ノブが第１の向きに対して垂直な第３の向きにホームポジションから押動されると第５のターミナルが電気的に接続せしめられ、ノブが第３の向きに更に押動されると第６のターミナルが電気的に接続せしめられる。つまり、ノブが第３の向きに押動されて第５のターミナルが電気的に接続された状態と、ノブが第３の向きに更に押動されて第６のターミナルが電気的に接続された状態とが、ノブの押動動作によって切り換えられる。そのため、ノブのスライド動作および押動動作によって７つの状態を切り換えることができる。
【００２４】
例えば第１のターミナルが電気的に接続せしめられた時に第１のメニューに含まれる項目をスクロールして選択し、第２のターミナルが電気的に接続せしめられた時にその選択された項目を確定し、第３のターミナルが電気的に接続せしめられた時に第２のメニューに含まれる項目をスクロールして選択し、第４のターミナルが電気的に接続せしめられた時にその選択された項目を確定し、第５のターミナルが電気的に接続せしめられた時に第３のメニューに含まれる項目をスクロールして選択し、第６のターミナルが電気的に接続せしめられた時にその選択された項目を確定することにより、３つのメニューの選択および確定操作を一つのノブによって実行することができる。
【００２５】
請求項５に記載のスライドスイッチでは、クリックバネがスライドスイッチハウジングの壁面に配置されている。そのため、クリックバネがスライドスイッチハウジングの底面に配置される場合よりも、スライドスイッチの幅寸法を小さくすることができる。また、クリックバネがスライドスイッチハウジングの底面に配置される場合よりも大きいノブのスライドストロークを確保することができる。その結果、ノブのスライドストロークの途中に別のターミナルを設けることができる。
【００２６】
例えばスライドスイッチハウジングが成形によって形成され、その抜き方向がスライドスイッチハウジングの底面に対して垂直である場合には、スライドスイッチハウジングの底面に対して垂直に立ち上がっている壁面にターミナルをインサート成形しようとすると、ターミナルをインサート成形するための型の構造が複雑になってしまい、型のコストが嵩んでしまう。この点に鑑み、請求項６に記載のスライドスイッチでは、スライドスイッチハウジングの底面に対して斜めに立ち上がっている壁面にクリックバネが配置されている。好ましくは、スライドスイッチハウジングの底面に対して９０°未満であって、更に好ましくは、スライドスイッチハウジングの底面に対して６０°以上８５°以下の角度で立ち上がっている壁面にクリックバネが配置されている。詳細には、その斜めに立ち上がっている壁面にターミナルがインサート成形される。そのため、スライドスイッチハウジングの底面に対して垂直に立ち上がっている壁面にクリックバネが配置され、その壁面にターミナルがインサート成形される場合よりも、スライドスイッチハウジング成形用型の構造を簡略化することができる。その結果、スライドスイッチハウジングの成形コストを抑えることができる。詳細には、スライドスイッチハウジング成形用型にスライド構造を設ける必要なく、ターミナルをインサート成形することができる。また、スライドスイッチハウジングの底面に対して斜めに立ち上がっている壁面にクリックバネが配置されているため、クリックバネの接触性を向上させることができる。
【００２７】
請求項７に記載のプッシュスライドスイッチでは、第６のターミナルを電気的に接続させるためにノブを第３の向きに押動するのに要する力が、第２のターミナルを電気的に接続させるためにノブを第１の向きに押動するのに要する力、及び、第４のターミナルを電気的に接続させるためにノブを第２の向きに押動するのに要する力よりも大きくなるように、他のクリックバネが配置されている。そのため、ノブを第１の向きに押動する時、あるいは、ノブを第２の向きに押動する時に、誤って第６のターミナルが電気的に接続されてしまうのを低減することができる。好ましくは、第２のターミナルが電気的に接続せしめられたことを操作者に認識させるためのクリックバネの弾性係数、および、第４のターミナルが電気的に接続せしめられたことを操作者に認識させるためのクリックバネの弾性係数よりも、第６のターミナルが電気的に接続せしめられたことを操作者に認識させるためのクリックバネの弾性係数が大きい値に設定されている。
【発明を実施するための最良の形態】
【００２８】
図１は本発明のプッシュスライドスイッチの第１の実施形態を示した図である。詳細には、図１（Ａ）は第１の実施形態のプッシュスライドスイッチの平面図、図１（Ｂ）は図１（Ａ）のＡ−Ａ線に沿って切断した断面図、図１（Ｃ）は図１（Ａ）のＢ−Ｂ線に沿って切断した断面図である。
【００２９】
図１において、１はプッシュスライドスイッチのハウジングである。このハウジング１は、例えば樹脂材料を成形することにより形成されている。２はハウジング１の内部を覆うためのカバーである。このカバー２は、例えば金属材料により形成されている。３は、プッシュスライドスイッチの操作者が図１（Ａ）の左右方向にスライド可能であって、図１（Ａ）の上向きに押動可能に構成されたノブである。このノブ３は例えば樹脂材料により形成されている。４はノブ３と一体となって図１（Ａ）の左右方向にスライド可能に構成されたスライダである。このスライダ４は例えば樹脂材料により形成されている。５Ａ，５Ｂ，５Ｃ，５Ｄ，５Ｅ，５Ｆ，５Ｇは導電性材料により形成されたターミナル（端子）である。これらのターミナル５Ａ，５Ｂ，５Ｃ，５Ｄ，５Ｅ，５Ｆ，５Ｇは、例えばインサート成形によりハウジング１に対して固定されている。６は導電性材料により形成された接触片である。この接触片６は、ノブ３に取付けられており、ノブ３と一体となって移動するように構成されている。
【００３０】
７Ａ，７Ｂ，７Ｃは例えば導電性の板バネ材を絞り加工することによりドーム状（凸状）に形成されたクリックバネである。図８は図１に示したクリックバネ７Ａ，７Ｂ，７Ｃの拡大図である。詳細には、図８（Ａ）はクリックバネ７Ａ，７Ｂ，７Ｃの平面図、図８（Ｂ）はクリックバネ７Ａ，７Ｂ，７Ｃの正面図である。これらのクリックバネ７Ａ，７Ｂ，７Ｃは、変位量（弾性変形量、凹み量）を増加させていくと応力が増加し、変位量（弾性変形量、凹み量）を更に増加させていくと応力が急激に減少する特性を有する。つまり、これらのクリックバネ７Ａ，７Ｂ，７Ｃは、凸部（図８（Ｂ）に示したクリックバネの上部）を凹ませていくと、凹ませるのに要する力が増加し、凹ませる量を更に増加させていくと、凹ませるのに要する力が急激に減少する特性を有する。すなわち、クリックバネ７Ａ，７Ｂ，７Ｃを凹ませるのに要する力が急激に減少する時に、プッシュスライドスイッチの操作者がクリック感を得ることができるように、これらのクリックバネ７Ａ，７Ｂ，７Ｃは構成されている。
【００３１】
クリックバネ７Ａはターミナル５Ａと電気的に接続せしめられている。また、クリックバネ７Ａは、凹ませるのに要する力が急激に減少するまで凹まされると、クリックバネ７Ａの背面に配置されたターミナル５Ｂとも電気的に接続せしめられる。更に、クリックバネ７Ｂはターミナル５Ｇと電気的に接続せしめられている。また、クリックバネ７Ｂは、凹ませるのに要する力が急激に減少するまで凹まされると、クリックバネ７Ｂの背面に配置されたターミナル５Ｆとも電気的に接続せしめられる。更に、クリックバネ７Ｃはターミナル５Ｃと電気的に接続せしめられている。また、クリックバネ７Ｃは、凹ませるのに要する力が急激に減少するまで凹まされると、クリックバネ７Ｃの背面に配置されたターミナル５Ｄとも電気的に接続せしめられる。
【００３２】
８は、図１（Ａ）の右側にスライドせしめられたノブ３およびスライダ４を図１（Ａ）に示す位置（ホームポジション）に戻し、図１（Ａ）の左側にスライドせしめられたノブ３およびスライダ４をホームポジションに戻すためのコイルバネである。９Ａ，９Ｂは図１（Ａ）の上側に押動されたノブ３をホームポジションに戻すためのコイルバネである。１０はカバー２の内側に配置された絶縁シートである。
【００３３】
図２は図１に示したハウジング１およびターミナル５Ａ，５Ｂ，５Ｃ，５Ｄ，５Ｅ，５Ｆ，５Ｇの拡大部品図である。詳細には、図２（Ａ）はハウジング１およびターミナル５Ａ，５Ｂ，５Ｃ，５Ｄ，５Ｅ，５Ｆ，５Ｇの平面図、図２（Ｂ）は図２（Ａ）のＣ−Ｃ線に沿って切断した断面図、図２（Ｃ）は図２（Ａ）のＤ−Ｄ線に沿って切断した断面図である。図２において、１Ａはハウジング１の底面、１Ｂ，１Ｃ，１Ｄはハウジング１の底面１Ａから立ち上がっている壁面である。１Ｅは図１に示したコイルバネ８を収容するためのコイルバネ収容部、１Ｆ，１Ｇはコイルバネ８の両端部を支持するためのコイルバネ保持部である。
【００３４】
図３は図１に示したカバー２の拡大部品図である。詳細には、図３（Ａ）はカバー２の平面図、図３（Ｂ）はカバー２の正面図、図３（Ｃ）はカバー２の右側面図である。
【００３５】
図４は図１に示したノブ３および接触片６の拡大部品図である。詳細には、図４（Ａ）はノブ３の平面図、図４（Ｂ）はノブ３の正面図、図４（Ｃ）はノブ３の後側面図、図４（Ｄ）はノブ３および接触片６の右側面図、図４（Ｅ）はノブ３および接触片６の裏面図である。図４において、３Ａはプッシュスライドスイッチの操作者がノブ３に指をかけるためのグリップ部である。３Ｂはノブ３が図１（Ａ）および図４（Ａ）の右側にスライドせしめられる時にスライダ４がノブ３と一体となって図１（Ａ）および図４（Ａ）の右側にスライドせしめられるようにスライダ４を押動するための当接面である。３Ｃはノブ３が図１（Ａ）および図４（Ａ）の左側にスライドせしめられる時にスライダ４がノブ３と一体となって図１（Ａ）および図４（Ａ）の左側にスライドせしめられるようにスライダ４を押動するための当接面である。３Ｄは凸状のクリックバネ７Ｃを凹ませるため、つまり、クリックバネ７Ｃを弾性変形させるための突起部である。３Ｅはコイルバネ９Ａの端部を支持するためのコイルバネ保持部、３Ｆはコイルバネ９Ｂの端部を支持するためのコイルバネ保持部である。３Ｇは接触片６を配置するための接触片挿入部である。
【００３６】
図５は図１に示したスライダ４の拡大部品図である。詳細には、図５（Ａ）はスライダ４の平面図、図５（Ｂ）はスライダ４の正面図、図５（Ｃ）はスライダ４の後側面図、図５（Ｄ）はスライダ４の右側面図、図５（Ｅ）は図５（Ａ）のＥ−Ｅ線に沿って切断した断面図、図５（Ｆ）はスライダ４の裏面図である。図５において、４Ａはノブ３が図１（Ａ）、図４（Ａ）および図５（Ａ）の右側にスライドせしめられる時にスライダ４がノブ３と一体となって図１（Ａ）、図４（Ａ）および図５（Ａ）の右側にスライドせしめられるようにノブ３の当接面３Ｂによって押動される当接面である。４Ｂはノブ３が図１（Ａ）、図４（Ａ）および図５（Ａ）の左側にスライドせしめられる時にスライダ４がノブ３と一体となって図１（Ａ）、図４（Ａ）および図５（Ａ）の左側にスライドせしめられるようにノブ３の当接面３Ｃによって押動される当接面である。４Ｃは凸状のクリックバネ７Ａを凹ませるため、つまり、クリックバネ７Ａを弾性変形させるための突起部である。４Ｄは凸状のクリックバネ７Ｂを凹ませるため、つまり、クリックバネ７Ｂを弾性変形させるための突起部である。４Ｅ，４Ｆはコイルバネ８の両端部を支持するためのコイルバネ保持部である。４Ｇはコイルバネ９Ａの上端部（図１（Ａ）参照）を支持するためのコイルバネ保持部、４Ｈはコイルバネ９Ｂの上端部（図１（Ａ）参照）を支持するためのコイルバネ保持部である。
【００３７】
図６はノブ３が図１（Ａ）および図４（Ａ）の左右方向にスライドせしめられる様子を示した図である。詳細には、図６（Ａ）はノブ３がホームポジションに配置されている時、つまり、操作者によってノブ３が操作されていない時におけるプッシュスライドスイッチを示した図である。図６（Ｂ）はスライダ４の突起部４Ｃがクリックバネ７Ａに突き当たるまでノブ３が図１（Ａ）、図４（Ａ）および図６（Ａ）の右側にスライドせしめられた時におけるプッシュスライドスイッチを示した図である。図６（Ｃ）はノブ３のスライド操作に要する力が急激に減少するまでノブ３が図１（Ａ）、図４（Ａ）および図６（Ｂ）の右側に更にスライドせしめられた時におけるプッシュスライドスイッチを示した図である。図６（Ｄ）はスライダ４の突起部４Ｄがクリックバネ７Ｂに突き当たるまでノブ３が図１（Ａ）、図４（Ａ）および図６（Ａ）の左側にスライドせしめられた時におけるプッシュスライドスイッチを示した図である。図６（Ｅ）はノブ３のスライド操作に要する力が急激に減少するまでノブ３が図１（Ａ）、図４（Ａ）および図６（Ｄ）の左側に更にスライドせしめられた時におけるプッシュスライドスイッチを示した図である。
【００３８】
図６（Ａ）に示した状態、つまり、ノブ３がホームポジションに配置された状態においては、接触片６は、ターミナル５Ｅ以外のターミナル５Ａ，５Ｂ，５Ｃ，５Ｄ，５Ｆ，５Ｇとは接触せしめられていない。すなわち、ターミナル５Ａ，５Ｂ，５Ｃ，５Ｄ，５Ｅ，５Ｆ，５Ｇが互いに電気的に分離せしめられており、ターミナル５Ａ，５Ｂ，５Ｃ，５Ｄ，５Ｅ，５Ｆ，５Ｇが互いに電気的に接続されていない。この状態においては、コイルバネ８の右端部がハウジング１のコイルバネ保持部１Ｆによって支持され、コイルバネ８の左端部がハウジング１のコイルバネ保持部１Ｇによって支持されている。
【００３９】
次いで、図６（Ａ）に示した状態からノブ３が図６（Ａ）の右側にスライドせしめられると、ノブ３と一体となってスライダ４も図６（Ａ）の右側にスライドせしめられる。それにより、コイルバネ８が圧縮されはじめる。詳細には、コイルバネ８がハウジング１のコイルバネ保持部１Ｆとスライダ４のコイルバネ保持部４Ｆとによって支持されるようになる。つまり、コイルバネ８の右端部がハウジング１のコイルバネ保持部１Ｆによって支持され、コイルバネ８の左端部がスライダ４のコイルバネ保持部４Ｆによって支持されるようになる。ノブ３が図６（Ａ）の右側にスライドし続けられると、ノブ３のスライド量の増加に従って、ノブ３のスライド操作に要する力が徐々に増加する。
【００４０】
ノブ３が図６（Ａ）の右側に更にスライドし続けられると、ノブ３に取付けられている接触片６の右端部が、ターミナル５Ａと接触せしめられる。つまり、ターミナル５Ｅと接触片６とターミナル５Ａとが電気的に接続せしめられる。すなわち、第１のターミナル群（ターミナル５Ｅ，５Ａ）が電気的に接続せしめられる。
【００４１】
図６（Ｂ）に示した状態までノブ３が図６（Ａ）の右側に更にスライドし続けられると、スライダ４の突起部４Ｃがクリックバネ７Ａに突き当たる。その結果、ノブ３のスライド操作に要する力が急激に増加する。この時、接触片６の左端部が位置５Ｅ１においてターミナル５Ｅと接触せしめられており、接触片６の右端部が位置５Ａ１においてターミナル５Ａと接触せしめられている。つまり、ターミナル５Ｅと接触片６とターミナル５Ａとが電気的に接続せしめられており、第１のターミナル群（ターミナル５Ｅ，５Ａ）が電気的に接続せしめられている。すなわち、スライダ４の突起部４Ｃがクリックバネ７Ａに突き当たるのに伴ってノブ３のスライド操作に要する力が急激に増加することにより、プッシュスライドスイッチの操作者は、第１のターミナル群（ターミナル５Ｅ，５Ａ）が電気的に接続せしめられたことを認識することができる。
【００４２】
図６（Ｃ）に示した状態までノブ３が図６（Ａ）および図６（Ｂ）の右側に更にスライドし続けられると、スライダ４の突起部４Ｃによって凸状のクリックバネ７Ａが凹まされる。詳細には、ノブ３がスライドし続けられるのに伴ってクリックバネ７Ａの凹み量が増加していくと、ノブ３のスライド操作に要する力が更に増加する。次いで、ノブ３が更にスライドし続けられるのに伴ってクリックバネ７Ａの凹み量が更に増加していくと、ノブ３のスライド操作に要する力が急激に減少する。この時、接触片６の左端部が位置５Ｅ２においてターミナル５Ｅと接触せしめられており、接触片６の右端部が位置５Ａ２においてターミナル５Ａと接触せしめられている。また、この時、ターミナル５Ａと電気的に接続せしめられているクリックバネ７Ａが、その背面に配置されたターミナル５Ｂとも位置５Ｂ２において接触せしめられ、電気的に接続せしめられる。つまり、ターミナル５Ｅと接触片６とターミナル５Ａとクリックバネ７Ａとターミナル５Ｂとが電気的に接続せしめられ、第２のターミナル群（ターミナル５Ｅ，５Ａ，５Ｂ）が電気的に接続せしめられる。すなわち、スライダ４の突起部４Ｃによってクリックバネ７Ａが凹まされた量が大きくなるのに伴ってノブ３のスライド操作に要する力が急激に減少することにより、プッシュスライドスイッチの操作者は、第２のターミナル群（ターミナル５Ｅ，５Ａ，５Ｂ）が電気的に接続せしめられたことを認識することができる。
【００４３】
一方、図６（Ａ）に示した状態からノブ３が図６（Ａ）の左側にスライドせしめられると、ノブ３と一体となってスライダ４も図６（Ａ）の左側にスライドせしめられる。それにより、コイルバネ８が圧縮されはじめる。詳細には、コイルバネ８がハウジング１のコイルバネ保持部１Ｇとスライダ４のコイルバネ保持部４Ｅとによって支持されるようになる。つまり、コイルバネ８の左端部がハウジング１のコイルバネ保持部１Ｇによって支持され、コイルバネ８の右端部がスライダ４のコイルバネ保持部４Ｅによって支持されるようになる。ノブ３が図６（Ａ）の左側にスライドし続けられると、ノブ３のスライド量の増加に従って、ノブ３のスライド操作に要する力が徐々に増加する。
【００４４】
ノブ３が図６（Ａ）の左側に更にスライドし続けられると、ノブ３に取付けられている接触片６の左端部が、ターミナル５Ｇと接触せしめられる。つまり、ターミナル５Ｅと接触片６とターミナル５Ｇとが電気的に接続せしめられる。すなわち、第３のターミナル群（ターミナル５Ｅ，５Ｇ）が電気的に接続せしめられる。
【００４５】
図６（Ｄ）に示した状態までノブ３が図６（Ａ）の左側に更にスライドし続けられると、スライダ４の突起部４Ｄがクリックバネ７Ｂに突き当たる。その結果、ノブ３のスライド操作に要する力が急激に増加する。この時、接触片６の右端部が位置５Ｅ３においてターミナル５Ｅと接触せしめられており、接触片６の左端部が位置５Ｇ３においてターミナル５Ｇと接触せしめられている。つまり、ターミナル５Ｅと接触片６とターミナル５Ｇとが電気的に接続せしめられており、第３のターミナル群（ターミナル５Ｅ，５Ｇ）が電気的に接続せしめられている。すなわち、スライダ４の突起部４Ｄがクリックバネ７Ｂに突き当たるのに伴ってノブ３のスライド操作に要する力が急激に増加することにより、プッシュスライドスイッチの操作者は、第３のターミナル群（ターミナル５Ｅ，５Ｇ）が電気的に接続せしめられたことを認識することができる。
【００４６】
図６（Ｅ）に示した状態までノブ３が図６（Ａ）および図６（Ｄ）の左側に更にスライドし続けられると、スライダ４の突起部４Ｄによって凸状のクリックバネ７Ｂが凹まされる。詳細には、ノブ３がスライドし続けられるのに伴ってクリックバネ７Ｂの凹み量が増加していくと、ノブ３のスライド操作に要する力が更に増加する。次いで、ノブ３が更にスライドし続けられるのに伴ってクリックバネ７Ｂの凹み量が更に増加していくと、ノブ３のスライド操作に要する力が急激に減少する。この時、接触片６の右端部が位置５Ｅ４においてターミナル５Ｅと接触せしめられており、接触片６の左端部が位置５Ｇ４においてターミナル５Ｇと接触せしめられている。また、この時、ターミナル５Ｇと電気的に接続せしめられているクリックバネ７Ｂが、その背面に配置されたターミナル５Ｆとも位置５Ｆ４において接触せしめられ、電気的に接続せしめられる。つまり、ターミナル５Ｅと接触片６とターミナル５Ｇとクリックバネ７Ｂとターミナル５Ｆとが電気的に接続せしめられ、第４のターミナル群（ターミナル５Ｅ，５Ｇ，５Ｆ）が電気的に接続せしめられる。すなわち、スライダ４の突起部４Ｄによってクリックバネ７Ｂが凹まされた量が大きくなるのに伴ってノブ３のスライド操作に要する力が急激に減少することにより、プッシュスライドスイッチの操作者は、第４のターミナル群（ターミナル５Ｅ，５Ｇ，５Ｆ）が電気的に接続せしめられたことを認識することができる。
【００４７】
図７はノブ３が図１（Ａ）および図４（Ａ）の上向きに押動せしめられる様子を示した図である。詳細には、図７（Ａ）はノブ３がホームポジションに配置されている時、つまり、操作者によってノブ３が操作されていない時におけるプッシュスライドスイッチを示した図である。図７（Ｂ）はノブ３の突起部３Ｄがクリックバネ７Ｃに突き当たるまでノブ３が図１（Ａ）、図４（Ａ）および図７（Ａ）の上側に押動せしめられた時におけるプッシュスライドスイッチを示した図である。図７（Ｃ）はノブ３の押動操作に要する力が急激に減少するまでノブ３が図１（Ａ）、図４（Ａ）および図７（Ｂ）の上側に更に押動せしめられた時におけるプッシュスライドスイッチを示した図である。
【００４８】
図７（Ａ）に示した状態、つまり、ノブ３がホームポジションに配置された状態においては、上述したように、接触片６は、ターミナル５Ｅ以外のターミナル５Ａ，５Ｂ，５Ｃ，５Ｄ，５Ｆ，５Ｇとは接触せしめられていない。すなわち、ターミナル５Ａ，５Ｂ，５Ｃ，５Ｄ，５Ｅ，５Ｆ，５Ｇが互いに電気的に分離せしめられており、ターミナル５Ａ，５Ｂ，５Ｃ，５Ｄ，５Ｅ，５Ｆ，５Ｇが互いに電気的に接続されていない。この状態においては、コイルバネ９Ａの上端部（図１（Ａ）参照）がスライダ４のコイルバネ保持部４Ｇ（図５（Ａ）参照）によって支持され、コイルバネ９Ａの下端部（図１（Ａ）参照）がノブ３のコイルバネ保持部３Ｅ（図４（Ａ）参照）によって支持されている。また、コイルバネ９Ｂの上端部（図１（Ａ）参照）がスライダ４のコイルバネ保持部４Ｈ（図５（Ａ）参照）によって支持され、コイルバネ９Ｂの下端部（図１（Ａ）参照）がノブ３のコイルバネ保持部３Ｆ（図４（Ａ）参照）によって支持されている。
【００４９】
次いで、図７（Ａ）に示した状態からノブ３が図７（Ａ）の上側に押動せしめられると、ノブ３がハウジング１およびスライダ４に対して図７（Ａ）の上側に移動せしめられる。それにより、コイルバネ９Ａ，９Ｂが圧縮されはじめる。ノブ３が図７（Ａ）の上側に押動し続けられると、ノブ３の押動量の増加に従って、ノブ３の押動操作に要する力が徐々に増加する。
【００５０】
ノブ３が図７（Ａ）の上側に更に押動し続けられると、ノブ３に取付けられている接触片６の右端部が、ターミナル５Ｃと接触せしめられる。つまり、ターミナル５Ｅと接触片６とターミナル５Ｃとが電気的に接続せしめられる。すなわち、第５のターミナル群（ターミナル５Ｅ，５Ｃ）が電気的に接続せしめられる。
【００５１】
図７（Ｂ）に示した状態までノブ３が図７（Ａ）の上側に更に押動し続けられると、ノブ３の突起部３Ｄがクリックバネ７Ｃに突き当たる。その結果、ノブ３の押動操作に要する力が急激に増加する。この時、接触片６の左端部が位置５Ｅ５においてターミナル５Ｅと接触せしめられており、接触片６の右端部が位置５Ｃ５においてターミナル５Ｃと接触せしめられている。つまり、ターミナル５Ｅと接触片６とターミナル５Ｃとが電気的に接続せしめられており、第５のターミナル群（ターミナル５Ｅ，５Ｃ）が電気的に接続せしめられている。すなわち、ノブ３の突起部３Ｄがクリックバネ７Ｃに突き当たるのに伴ってノブ３の押動操作に要する力が急激に増加することにより、プッシュスライドスイッチの操作者は、第５のターミナル群（ターミナル５Ｅ，５Ｃ）が電気的に接続せしめられたことを認識することができる。
【００５２】
図７（Ｃ）に示した状態までノブ３が図７（Ａ）および図７（Ｂ）の上側に更に押動し続けられると、ノブ３の突起部３Ｄによって凸状のクリックバネ７Ｃが凹まされる。詳細には、ノブ３が押動し続けられるのに伴ってクリックバネ７Ｃの凹み量が増加していくと、ノブ３の押動操作に要する力が更に増加する。次いで、ノブ３が更に押動し続けられるのに伴ってクリックバネ７Ｃの凹み量が更に増加していくと、ノブ３の押動操作に要する力が急激に減少する。この時、接触片６の左端部が位置５Ｅ６においてターミナル５Ｅと接触せしめられており、接触片６の右端部が位置５Ｃ６においてターミナル５Ｃと接触せしめられている。また、この時、ターミナル５Ｃと電気的に接続せしめられているクリックバネ７Ｃが、その背面に配置されたターミナル５Ｄとも位置５Ｄ６において接触せしめられ、電気的に接続せしめられる。つまり、ターミナル５Ｅと接触片６とターミナル５Ｃとクリックバネ７Ｃとターミナル５Ｄとが電気的に接続せしめられ、第６のターミナル群（ターミナル５Ｅ，５Ｃ，５Ｄ）が電気的に接続せしめられる。すなわち、ノブ３の突起部３Ｄによってクリックバネ７Ｃが凹まされた量が大きくなるのに伴ってノブ３の押動操作に要する力が急激に減少することにより、プッシュスライドスイッチの操作者は、第６のターミナル群（ターミナル５Ｅ，５Ｃ，５Ｄ）が電気的に接続せしめられたことを認識することができる。
【００５３】
第１の実施形態のプッシュスライドスイッチでは、図１（Ｂ）に示したように、変位量（弾性変形量、凹み量）を増加させていくと応力が増加し、変位量（弾性変形量、凹み量）を更に増加させていくと応力が急激に減少する特性を有する凸状のクリックバネ７Ａが設けられ、図６（Ｃ）に示したように、第２のターミナル群（ターミナル５Ｅ，５Ａ，５Ｂ）が電気的に接続せしめられる時に右側（図６（Ｃ）参照）へのノブ３のスライド操作に要する力が急激に減少するようにクリックバネ７Ａが配置されている。そのため、右側へのノブ３のスライド操作に要する力が急激に減少することにより、第２のターミナル群（ターミナル５Ｅ，５Ａ，５Ｂ）が電気的に接続せしめられたことを操作者は認識することができる。
【００５４】
更に、第１の実施形態のプッシュスライドスイッチでは、図１（Ｂ）に示したように、変位量（弾性変形量、凹み量）を増加させていくと応力が増加し、変位量（弾性変形量、凹み量）を更に増加させていくと応力が急激に減少する特性を有する凸状のクリックバネ７Ｂが設けられ、図６（Ｅ）に示したように、第４のターミナル群（ターミナル５Ｅ，５Ｇ，５Ｆ）が電気的に接続せしめられる時に左側（図６（Ｅ）参照）へのノブ３のスライド操作に要する力が急激に減少するようにクリックバネ７Ｂが配置されている。そのため、右側へのノブ３のスライド操作に要する力が急激に減少することにより、第４のターミナル群（ターミナル５Ｅ，５Ｇ，５Ｆ）が電気的に接続せしめられたことを操作者は認識することができる。
【００５５】
また、第１の実施形態のプッシュスライドスイッチでは、図１（Ｃ）に示したように、変位量（弾性変形量、凹み量）を増加させていくと応力が増加し、変位量（弾性変形量、凹み量）を更に増加させていくと応力が急激に減少する特性を有する凸状のクリックバネ７Ｃが設けられ、図７（Ｃ）に示したように、第６のターミナル群（ターミナル５Ｅ，５Ｃ，５Ｄ）が電気的に接続せしめられる時に上側（図７（Ｃ）参照）へのノブ３の押動操作に要する力が急激に減少するようにクリックバネ７Ｃが配置されている。そのため、上側へのノブ３の押動操作に要する力が急激に減少することにより、第６のターミナル群（ターミナル５Ｅ，５Ｃ，５Ｄ）が電気的に接続せしめられたことを操作者は認識することができる。
【００５６】
更に、第１の実施形態のプッシュスライドスイッチでは、図１（Ｂ）および図２（Ｂ）に示したように、クリックバネ７Ａ，７Ｂがハウジング１の壁面１Ｂ，１Ｄに配置されている。詳細には、ハウジング１の底面１Ａに対して斜めに立ち上がっている壁面１Ｂ，１Ｄにクリックバネ７Ａ，７Ｂが配置されている。更に詳細には、ハウジング１の底面１Ａに対して６０°以上８５°以下の角度で立ち上がっている壁面１Ｂ，１Ｄにクリックバネ７Ａ，７Ｂが配置され、その斜めに立ち上がっている壁面１Ｂ，１Ｄにターミナル５Ｂ，５Ｆがインサート成形されている。
【００５７】
また、第１の実施形態のプッシュスライドスイッチでは、図１（Ｃ）および図２（Ｃ）に示したように、クリックバネ７Ｃがハウジング１の壁面１Ｃに配置されている。詳細には、ハウジング１の底面１Ａに対して斜めに立ち上がっている壁面１Ｃにクリックバネ７Ｃが配置されている。更に詳細には、ハウジング１の底面１Ａに対して６０°以上８５°以下の角度で立ち上がっている壁面１Ｃにクリックバネ７Ｃが配置され、その斜めに立ち上がっている壁面１Ｃにターミナル５Ｄがインサート成形されている。
【００５８】
更に、第１の実施形態のプッシュスライドスイッチでは、図６（Ａ）に示したホームポジションからノブ３が右側にスライドせしめられると、図６（Ｂ）に示したように第１のターミナル群（ターミナル５Ｅ，５Ａ）が電気的に接続せしめられ、ノブ３が右側に更にスライドせしめられると、図６（Ｃ）に示したように第２のターミナル群（ターミナル５Ｅ，５Ａ，５Ｂ）が電気的に接続せしめられる。一方、図６（Ａ）に示したホームポジションからノブ３が左側にスライドせしめられると、図６（Ｄ）に示したように第３のターミナル群（ターミナル５Ｅ，５Ｇ）が電気的に接続せしめられ、ノブ３が左側に更にスライドせしめられると、図６（Ｅ）に示したように第４のターミナル群（ターミナル５Ｅ，５Ｇ，５Ｆ）が電気的に接続せしめられる。つまり、ノブ３がホームポジションに配置されてターミナル５Ａ，５Ｂ，５Ｃ，５Ｄ，５Ｅ，５Ｆ，５Ｇが電気的に接続されていない状態（図６（Ａ））と、ノブ３が右側にスライドせしめられて第１のターミナル群（ターミナル５Ｅ，５Ａ）が電気的に接続された状態（図６（Ｂ））と、ノブ３が右側に更にスライドせしめられて第２のターミナル群（ターミナル５Ｅ，５Ａ，５Ｂ）が電気的に接続された状態（図６（Ｃ））と、ノブ３が左側にスライドせしめられて第３のターミナル群（ターミナル５Ｅ，５Ｇ）が電気的に接続された状態（図６（Ｄ））と、ノブ３が左側に更にスライドせしめられて第４のターミナル群（ターミナル５Ｅ，５Ｇ，５Ｆ）が電気的に接続された状態（図６（Ｅ））とが、ノブ３のスライド動作によって切り換えられる。すなわち、５つのターミナルの接続状態がノブ３のスライド動作によって切り換えられる。
【００５９】
また、第１の実施形態のプッシュスライドスイッチでは、図６（Ａ）および図７（Ａ）に示したホームポジションからノブ３が上側に押動されると、図７（Ｂ）に示したように第５のターミナル群（ターミナル５Ｅ，５Ｃ）が電気的に接続せしめられ、ノブ３が上側に更に押動されると、図７（Ｃ）に示したように第６のターミナル群（ターミナル５Ｅ，５Ｃ，５Ｄ）が電気的に接続せしめられる。つまり、ノブ３が上側に押動されて第５のターミナル群（ターミナル５Ｅ，５Ｃ）が電気的に接続された状態（図７（Ｂ））と、ノブ３が上側に更に押動されて第６のターミナル群（ターミナル５Ｅ，５Ｃ，５Ｄ）が電気的に接続された状態（図７（Ｃ））とが、ノブ３の押動動作によって切り換えられる。
【００６０】
更に、第１の実施形態のプッシュスライドスイッチでは、第６のターミナル群（ターミナル５Ｅ，５Ｃ，５Ｄ）を電気的に接続させるためにノブ３を上側に押動するのに要する力が、第２のターミナル群（ターミナル５Ｅ，５Ａ，５Ｂ）を電気的に接続させるためにノブ３を右側に押動するのに要する力、及び、第４のターミナル群（ターミナル５Ｅ，５Ｇ，５Ｆ）を電気的に接続させるためにノブ３を左側に押動するのに要する力よりも大きくなるように、クリックバネ７Ｃが配置されている。詳細には、第２のターミナル群（ターミナル５Ｅ，５Ａ，５Ｂ）が電気的に接続せしめられたことを操作者に認識させるためのクリックバネ７Ａの弾性係数、および、第４のターミナル群（ターミナル５Ｅ，５Ｇ，５Ｆ）が電気的に接続せしめられたことを操作者に認識させるためのクリックバネ７Ｂの弾性係数よりも、第６のターミナル群（ターミナル５Ｅ，５Ｃ，５Ｄ）が電気的に接続せしめられたことを操作者に認識させるためのクリックバネ７Ｃの弾性係数が大きい値に設定されている。そのため、ノブ３を右側に押動する時、あるいは、ノブ３を左側に押動する時に、誤って第６のターミナル群（ターミナル５Ｅ，５Ｃ，５Ｄ）が電気的に接続されてしまうのを低減することができる。
【００６１】
第１の実施形態のプッシュスライドスイッチは、例えば携帯オーディオのメニューの切り換えおよびメニューの確定に用いられる。詳細には、例えば第１のターミナル群（ターミナル５Ｅ，５Ａ）が電気的に接続せしめられた時に第１のメニューに含まれる項目がスクロールして選択され、第２のターミナル群（ターミナル５Ｅ，５Ａ，５Ｂ）が電気的に接続せしめられた時にその選択された項目が確定される。更に、第３のターミナル群（ターミナル５Ｅ，５Ｇ）が電気的に接続せしめられた時に第２のメニューに含まれる項目がスクロールして選択され、第４のターミナル群（ターミナル５Ｅ，５Ｇ，５Ｆ）が電気的に接続せしめられた時にその選択された項目が確定される。また、第５のターミナル群（ターミナル５Ｅ，５Ｃ）が電気的に接続せしめられた時に第３のメニューに含まれる項目がスクロールして選択され、第６のターミナル群（ターミナル５Ｅ，５Ｃ，５Ｄ）が電気的に接続せしめられた時にその選択された項目が確定される。
【００６２】
上述したように、第１の実施形態では、本発明のプッシュスライドスイッチが例えば携帯オーディオに適用されるが、第２の実施形態では、本発明のプッシュスライドスイッチを他の任意の電気製品に適用可能である。
【図面の簡単な説明】
【００６３】
【図１】本発明のプッシュスライドスイッチの第１の実施形態を示した図である。
【図２】図１に示したハウジング１およびターミナル５Ａ，５Ｂ，５Ｃ，５Ｄ，５Ｅ，５Ｆ，５Ｇの拡大部品図である。
【図３】図１に示したカバー２の拡大部品図である。
【図４】図１に示したノブ３および接触片６の拡大部品図である。
【図５】図１に示したスライダ４の拡大部品図である。
【図６】ノブ３が図１（Ａ）および図４（Ａ）の左右方向にスライドせしめられる様子を示した図である。
【図７】ノブ３が図１（Ａ）および図４（Ａ）の上向きに押動せしめられる様子を示した図である。
【図８】図１に示したクリックバネ７Ａ，７Ｂ，７Ｃの拡大図である。
【符号の説明】
【００６４】
１                      ハウジング
１Ａ                    底面
１Ｂ，１Ｃ，１Ｄ        壁面
１Ｅ                    コイルバネ収容部
１Ｆ，１Ｇ              コイルバネ保持部
２                      カバー
３                      ノブ
３Ａ                    グリップ部
３Ｂ，３Ｃ              当接面
３Ｄ                    突起部
３Ｅ，３Ｆ              コイルバネ保持部
４                      スライダ
４Ａ，４Ｂ              当接面
４Ｃ，４Ｄ              突起部
４Ｅ，４Ｆ，４Ｇ        コイルバネ保持部
５Ａ，５Ｂ，５Ｃ，５Ｄ  ターミナル
５Ｅ，５Ｆ，５Ｇ        ターミナル
６                      接触片
７Ａ，７Ｂ，７Ｃ        クリックバネ
８，９Ａ，９Ｂ          コイルバネ
１０                    絶縁シート
【図１】
2005339877.tif 000003
【図２】
2005339877.tif 000004
【図３】
2005339877.tif 000005
【図４】
2005339877.tif 000006
【図５】
2005339877.tif 000007
【図６】
2005339877.tif 000008
【図７】
2005339877.tif 000009
【図８】
2005339877.tif 000010